Podtech/llm-jp-corpus-v4-ja_patent huggingface dataset:
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
ＨＥＲモジュレーターによる処置に対する疾患の反応性を同定する方法であって、
（ａ）前記疾患のリスクがあるまたは前記疾患を有する被験者から少なくとも一つの試料を採取することと、
（ｂ）前記試料で少なくとも１種類のＨＥＲ受容体の発現および／または活性を検査することと、
（ｃ）少なくとも１種類のＨＥＲ３受容体の発現および／または活性が検出される場合、疾患を反応性と同定することと、
を含む方法。
【請求項２】
前記ＨＥＲモジュレーターが、少なくとも１種類のＨＥＲ受容体に対して向けられる抑制剤であり、該ＨＥＲ受容体が、ＨＥＲ１、ＨＥＲ２、ＨＥＲ３もしくはＨＥＲ４またはそれらの組み合せである、請求項１に記載の方法。
【請求項３】
前記疾患が過剰増殖疾患、有利には腫瘍疾患または乾癬であり、該腫瘍疾患が、有利にはＮＳＣＬＣ、乳房腫瘍、結腸腫瘍、胃腫瘍、メラノーマ、膵臓腫瘍、または前立腺癌からなる群から選択される、請求項１または２に記載の方法。
【請求項４】
ＨＥＲ３受容体活性の検出がＨＥＲ３受容体リン酸化レベルの決定を含む、請求項１から３までのいずれか１項に記載の方法。
【請求項５】
有利にはＨＥＲ３受容体においてリン酸化チロシン残基を認識する抗体である前記リン酸化部位特異的抗体を使用する請求項４に記載の方法であって、該リン酸化部位特異的抗体が、有利にはＨＥＲ３タンパク質において前記リン酸化チロシン残基Ｙ１２８９またはＹ１２２２のうちの少なくとも一つに対するものであり、該リン酸化部位特異的抗体が、有利にはリン酸化部位特異的ＨＥＲ３抗体２１Ｄ３または５０Ｃ２である、請求項４に記載の方法。
【請求項６】
前記試料が、有利には新鮮な、凍結した、および／または保存した器官もしくは組織試料もしくは生検もしくは吸引物由来の固体組織からなる群から選択される組織試料である、請求項１から５までのいずれか１項に記載の方法。
【請求項７】
ＨＥＲモジュレーターの治療効力を決定する方法であって、
（ａ）被験者を少なくとも１種類のＨＥＲモジュレーターに曝すことと、
（ｂ）前記被験者から少なくとも一つの試料を採取することと、
（ｃ）前記試料中の少なくとも１種類のＨＥＲ３受容体の活性化レベルを検出することと、
を含み、少なくとも１種類のＨＥＲモジュレーターへの曝露の非存在と比較すると、前記医薬組成物の曝露の結果として少なくとも１種類のＨＥＲ３受容体の活性化レベルに差が観察される方法。
【請求項８】
前記ＨＥＲモジュレーターが、少なくとも１種類のＨＥＲ受容体に対して向けられる抑制剤であり、該ＨＥＲ受容体が、ＨＥＲ１、ＨＥＲ２、ＨＥＲ３もしくはＨＥＲ４またはそれらの組み合せである、請求項７に記載の方法。
【請求項９】
ＨＥＲ３受容体の活性の前記検出が前記ＨＥＲ３受容体リン酸化レベルを評価することによって達成される、請求項７から８までのいずれか１項に記載の方法。
【請求項１０】
有利にはＨＥＲ３受容体においてリン酸化チロシン残基を認識する抗体であるリン酸化部位特異的抗体を使用する請求項７から９までのいずれか１項に記載の方法であって、該リン酸化部位特異的抗体が、有利には前記ＨＥＲ３タンパク質において前記リン酸化チロシン残基Ｙ１２８９またはＹ１２２２のうちの少なくとも一つに対するものであり、該リン酸化部位特異的抗体が、有利にはリン酸化部位特異的ＨＥＲ３抗体２１Ｄ３または５０Ｃ２のうちの少なくとも一つである、請求項７から９までのいずれか１項に記載の方法。
【請求項１１】
前記試料が組織試料であり、該組織試料が、有利には正常な組織試料、例えば毛包試料である、請求項７から１０までのいずれか１項に記載の方法。
【請求項１２】
活性化ＨＥＲ３受容体を検出する抗体であって、該抗体が、有利にはＨＥＲ３のチロシン残基Ｙ１０５４、Ｙ１１９７、Ｙ１１９９、Ｙ１２２２、Ｙ１２２４、Ｙ１２６０、Ｙ１２６２、Ｙ１２７６、Ｙ１２８９、およびＹ１３２８のうちの少なくとも一つを含むエピトープに結合する抗体。
【請求項１３】
ＨＥＲ３モジュレーターによる処置に対する疾患の反応性を同定するための、請求項１２に記載の抗体の使用。
【請求項１４】
活性化ＨＥＲ３ファミリーメンバーの活性化レベルを評価するためのキットであって、
（ａ）ＨＥＲ３受容体タンパク質の発現を検出する抗体と、
（ｂ）ＨＥＲ３受容体メンバーの活性化を検出する抗体と、
を含むキット。
【請求項１５】
ＨＥＲ３受容体発現、過剰発現、および／または活性に付随する疾患の処置のための薬物の製造のためのＨＥＲ３モジュレーターの使用であって、該ＨＥＲ３受容体発現、過剰発現、および／または活性がＨＥＲ３モジュレーターの投与の前に決定される使用。
【請求項１６】
前記疾患の前記反応性が前記処置の過程において検査される、請求項１４に記載の使用。
【請求項１７】
前記ＨＥＲモジュレーターが、少なくとも１種類のＨＥＲ受容体に対して向けられる抑制剤であり、該ＨＥＲ受容体が、ＨＥＲ１、ＨＥＲ２、ＨＥＲ３もしくはＨＥＲ４またはそれらの組み合せである、請求項６に記載の方法。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
外側シェル（３０）を含み、該外側シェル（３０）が、外側シェル前部壁（３２）、外側シェル後部壁（３５）、左（３３）及び右（３４）外側シェル側壁、及び外側シェルストッパフラップ（３７）を含み、該外側シェル（３０）が、少なくとも部分的に内側スライド（１０、２０）を包含し、該内側スライド（１０、１２）が、箱部分（１０）を含み、該内側スライド（１０、２０）の該箱部分（１０）が、箱底部壁（１１）、箱前部壁（１２）及び箱後部壁（１５）、及び内側スライドストッパフラップ（１７）を含み、該内側スライド（１０、２０）が、更に蓋部分（２０）を含み、該内側スライド（１０、２０）の該蓋部分（２０）が、蓋上部壁（２６）を含み、該内側スライド（１０、２０）の該蓋部分（２０）が、該箱後部壁（１５）において該内側スライド（１０、２０）の該箱部分（１０）にヒンジ止めされ、該外側シェルストッパフラップ（３７）と該内側スライドストッパフラップ（１７）が、互いに相互作用して、容器（１）を開く時の該外側シェル（３０）と該内側スライド（１０、２０）の間の移動を制限する容器（１）であって、
箱前部壁（１２）が、内側スライドストッパフラップ（１７）を含み、外側シェル前部壁（３２）が、外側シェルストッパフラップ（３７）を含み、
前記内側スライド（１０、２０）の前記蓋部分（２０）は、更に、左（２３）蓋側壁及び右（２４）蓋側壁を含み、
前記左（３３）外側シェル側壁及び右（３４）外側シェル側壁は、前記蓋側壁（２３、２４）が該外側シェル側壁（３３、３４）によって完全には覆われないような大きさを有し、
前記蓋上部壁（２６）は、前記箱後部壁（１５）にヒンジ止めされるか、または、
前記内側スライド（１０、２０）の前記蓋部分（２０）が、更に、蓋後部壁（２５）を含み、該蓋後部壁（２５）が、前記箱後部壁（１５）にヒンジ止めされ、
前記箱前部壁（１２）は、前記内側スライドストッパフラップ（１７）であり、前記外側シェルストッパフラップ（３７）は、前記外側シェル前部壁（３２）の上側部分の内側の増大した厚みによって形成される、
ことを特徴とする容器（１）。
【請求項２】
前記蓋上部壁（２６）は、更に、前記蓋側壁（２３、２４）又は前記外側シェル側壁（３３、３４）の上に突出する延長フラップ（２８）を含む、
ことを特徴とする請求項１に記載の容器（１）。
【請求項３】
前記内側スライド（１０、２０）の前記蓋部分（２０）は、更に、蓋前部壁（２２）を含み、該内側スライド（１０、２０）の前記箱部分（１０）は、更に、切り欠き部（１９）を有する左（１３）箱側壁及び右（１４）箱側壁を含み、該切り欠き部（１９）は、閉じた位置で該蓋前部壁（２２）が該箱側壁（１３、１４）の該切り欠き部（１９）内にあるように該蓋前部壁（２２）に適応されている、
ことを特徴とする請求項１または請求項２のいずれかに記載の容器（１）。
【請求項４】
前記外側シェル前部壁（３２）、前記外側シェル後部壁（３５）、前記左外側シェル側壁（３３）、前記右外側シェル側壁（３４）、及び外側シェル底部壁（３１）のうちの少なくとも１つは、切り欠き部を有する、
ことを特徴とする請求項１から請求項３のいずれか１項に記載の容器（１）。
【請求項５】
前記内側スライドの前記蓋部分の少なくとも表面区画が、摩擦を強化するためにスリップ防止ワニス又は適切なエンボスパターン又はそのいずれかの組合せによって処理される、
ことを特徴とする請求項１から請求項４のいずれか１項に記載の容器（１）。
【請求項６】
２つ又はそれよりも多くの別々に包まれた束を収容する、
ことを特徴とする請求項１から請求項５のいずれか１項に記載の容器（１）。
【請求項７】
前記束の少なくとも１つは、該束を再び閉じるか又は再び密封する手段を含む内側ライナによって形成され、又は該内側ライナが、該束の内側の香味の保持を高めるために高障壁特性を備えた材料から形成され、又はその組合せである、
ことを特徴とする請求項６に記載の容器（１）。
【請求項８】
前記内側スライド（１０、２０）は、更に、内側フレーム（４０）を含む、
ことを特徴とする請求項１から請求項６のいずれか１項に記載の容器（１）。
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
安定なラクチド粒子を製造する方法であって、溶融したラクチドの連続流と該ラクチドの融点より低い温度を有する表面とを接触させること、該溶融したラクチドが該表面で凝固することを許すこと、及び次にその表面からラクチド粒子として該固体ラクチドを取り除くことを含む上記方法。
【請求項２】
該表面が、外部的又は内部的手段により冷却される、請求項１に記載の方法。
【請求項３】
該取り除くことが、該凝固したラクチドを有する該表面とかき取り装置とを接触させることによる、請求項１又は２に記載の方法。
【請求項４】
該取り除くことが、該ラクチドが重力の影響下で該表面から離れ落ちることにより行われる、請求項１又は２に記載の方法。
【請求項５】
該方法が、ドラムフレーカー又はベルトフレーカーにより実施される、請求項１〜４のいずれか１項に記載の方法。
【請求項６】
該方法、少なくとも該ラクチドと接触する部分が耐食性物質から作られているところの装置中で行われる、請求項１〜５のいずれか１項に記載の方法。
【請求項７】
該方法が不活性ガス下又は乾燥雰囲気下で行われる、請求項１〜６のいずれか１項に記載の方法。
【請求項８】
該得られたラクチド粒子がふるいにかけられる、請求項１〜７のいずれか１項に記載の方法。
【請求項９】
１０００〜１００００ｍ−１の単位体積当たりの表面積を有するラクチド粒子が得られ、語「安定な」が、該ラクチド粒子が空気中で２０℃で多くとも５ｍｅｑ／ｋｇの当初遊離酸含有量を有し且つ１０週の貯蔵後に遊離酸含有量がなお２０００ｍｅｑ／ｋｇより低いことを意味する、請求項１〜８のいずれか１項に記載の方法。
【請求項１０】
該ラクチド粒子が、９５重量％超のラクチド、好ましくは９８．５重量％超のラクチド、最も好ましくは９９．５重量％超のラクチドを含む、請求項１〜９のいずれか１項に記載の方法。
【請求項１１】
該ラクチド粒子中に存在する該ラクチドが、９５重量％超のＤ−ラクチド、好ましくは９８．５重量％超のＤ−ラクチド、最も好ましくは９９．５重量％超のＤ−ラクチドを含む、請求項１〜１０のいずれか１項に記載の方法。
【請求項１２】
該ラクチド粒子中に存在する該ラクチドが、９５重量％超のＬ−ラクチド、好ましくは９８．５重量％超のＬ−ラクチド、最も好ましくは９９．５重量％超のＬ−ラクチドを含む、請求項１〜１０のいずれか１項に記載の方法。
【請求項１３】
該ラクチド粒子が、２００ｐｐｍより少なく、好ましくは１００ｐｐｍより少なく、及び最も好ましくは５０ｐｐｍより少ない水含有量を有する、請求項１〜１２のいずれか１項に記載の方法。
【請求項１４】
該ラクチド粒子が、１ｋｇラクチド当たり５０ミリ当量（ｍｅｑ／ｋｇ）より少なく、好ましくは２０ｍｅｑ／ｋｇより少なく、及び最も好ましくは０〜１０ｍｅｑ／ｋｇである遊離乳酸含有量を有する、請求項１〜１３のいずれか１項に記載の方法。
【請求項１５】
ポリ乳酸の製造の為の出発物質として、請求項１〜１４のいずれか１項に記載の方法により得られたラクチド粒子を使用する方法。
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
主結晶相としてβ−石英の固溶体を含む、透明で、実質的に無色のガラス・セラミック材料であって、
下記：
2010510951.tif 000001
から実質的に成る、酸化物基準の重量％で表示される組成を有し、
不可避的な微量を除いて、酸化ヒ素および酸化アンチモンを含まない、
ガラス・セラミック材料。
【請求項２】
下記：
2010510951.tif 000002
から実質的に成る酸化物基準の重量％で表示される組成を有することを特徴とする、請求項１記載のガラス・セラミック材料。
【請求項３】
前記組成が、さらに、不可避的な微量を除いて、ハロゲン化物を含まないことを特徴とする請求項１または２記載のガラス・セラミック材料。
【請求項４】
前記組成が、さらに、不可避的な微量を除いて、リン酸塩を含まないことを特徴とする請求項１〜３いずれか１項記載のガラス・セラミック材料。
【請求項５】
請求項１〜４いずれか１項記載のガラス・セラミック材料の調製方法であって、
前記ガラス・セラミック材料の前駆体である、リチウムアルミノケイ酸塩ガラス、または、それ自体が前記リチウムアルミノケイ酸塩ガラスの前駆体であるミネラルチャージを、セラミック化を確実にする条件下で、加熱処理する工程を有してなり、
前記ガラスまたは前記ミネラルチャージが、請求項１〜４いずれか１項記載のガラス・セラミック材料のものに対応する組成を有することを特徴とする、
ガラス・セラミック材料の調製方法。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
内側面を有している空洞を充填するための膨張性充填挿入物であって、該挿入物は、空洞の内側形状に実質的に平行するが、空洞の内側面から離間して配置される外側面を有する自立連続構造体、および挿入物を空洞の内側面に取り付けるための：
ｉ）粘着物質のピース
ｉｉ）空洞壁の開口部を通って挿入できる係合性突出部の形状で、挿入物の一体化部分であって、自立連続構造体から突出する取付要素
から成る群から選択される取付要素
を有して成り、
該自立連続構造体は、少なくとも１種のポリマーまたはポリマー前駆体および少なくとも１種の潜発泡剤を含んで成るポリマーマトリックスから形成されている膨張性充填挿入物。
【請求項２】
該挿入物は、内部空間を有し、好ましくはリングである該自立連続構造体によって形作られていることが好ましい、請求項１の膨張性充填挿入物。
【請求項３】
少なくとも１種のポリマーまたはポリマー前駆体および少なくとも１種の潜発泡剤を含んで成る該ポリマーマトリックスを含む反応性架橋材料で形成された主本体部を有し、主本体部は１２０〜２２０℃の範囲の温度で少なくとも２０％膨張でき、該主本体部は、前側および後側をそれぞれが有する少なくとも１つの取付要素を含んで成り、これらの側は、１つの取付要素または複数の取付要素を含めた膨張性充填挿入物全体が２つの平行で平坦な面によって画定される意味において規定され、各取付要素の前側は平行な面の一方に位置し、後側は平行な面の他方に位置する、請求項１または請求項２に記載の膨張性充填挿入物。
【請求項４】
非膨張状態において、平行な面に垂直な長手軸に垂直な第１方向において、長手軸に垂直かつ第１方向に垂直な第２方向より、延在する膨張性充填挿入物であって、第１方向は最も長いエクステンションの方向であって、水平方向とし、一方、長手軸および水平方向それぞれに垂直な第２方向を垂直方向とする、請求項３に記載の膨張性充填挿入物。
【請求項５】
１２０〜２２０℃に加熱する場合、垂直方向の膨張が長手軸方向の膨張より相対的に大きいように膨張する、請求項４に記載の膨張性充填挿入物。
【請求項６】
１２０〜２２０℃に加熱する場合、垂直方向の膨張が水平方向の膨張より相対的に大きいように膨張する、請求項４および５の少なくとも１つの請求項に記載の膨張性充填挿入物。
【請求項７】
少なくとも１つの取付要素は、平行な面の一方から他方へ長手軸に平行に延在して該面で開口する空洞を含んで成る、請求項３〜６の１つまたはそれより多くの請求項に記載の膨張性充填挿入物。
【請求項８】
膨張性材料が１０〜４０℃の範囲の温度で粘着性を有さない膨張性充填挿入物であり、かつ平行な面の一方から他方へ延在する少なくとも１つの外側面を有して成る膨張性充填挿入物であって、該外側面の少なくとも選択された領域は、１０〜４０℃で接着性を有する材料によって被覆され、この選択領域は２つの平行な面によって２つの側で画定される、請求項３〜７の１つまたはそれより多くの請求項に記載の膨張性充填挿入物。
【請求項９】
ダイを介して膨張性材料を押し出してストランドにし、切断面として前記の平行な面を形成するようにストランドを切断する、請求項１〜８の１つまたはそれより多くの請求項に記載の膨張性充填挿入物の製造方法。
【請求項１０】
該自立連続構造体の周囲の該空洞の内側面と該外側面との間に１〜１０ｍｍの実質的に均一な隙間を形成するように、該自立連続構造体の該外側面が寸法を有する、請求項１または請求項２に記載の膨張性充填挿入物。
【請求項１１】
熱活性化の後、ポリマーマトリックスは少なくとも約１０００パーセント膨張する、請求項１または請求項２の膨張性充填挿入物。
【請求項１２】
該ポリマーマトリックスは、少なくとも１種の熱可塑性物質および少なくとも１種の化学的発泡剤を含んで成る、請求項１または請求項２の膨張性充填挿入物。
【請求項１３】
少なくとも１つの鋭角を含む断面形状を有し、内側面を有する空洞を充填するための膨張性充填挿入物であって、前記の挿入物は、内部空間、および空洞の断面形状に実質的に平行であるが空洞の内側面に接しない外側面を有する自立連続構造体を含んで成り、自立連続構造体の外側面は、空洞の少なくとも１つの鋭角に向かって延在する少なくとも１つの突出部を有して成り、取付要素は、挿入物を空洞の内側面に付けるために自立連続構造体から突出し、該ポリマーマトリックスは、少なくとも１種のポリマーまたはポリマー前駆体、および少なくとも１種の潜発泡剤を含んで成る、請求項１または請求項２の膨張性充填挿入物。
【請求項１４】
該挿入物は、自立連続構造体の内部空間に延在する、ポリマーマトリックスでできた突出部を更に含んで成る、請求項１３の膨張性充填挿入物。
【請求項１５】
内側面を有する空洞を充填または封止するための方法であって、請求項１〜１４の１つまたはそれより多くの請求項に記載の膨張性充填挿入物を該内側面に取り付けること、および前記の膨張性充填挿入物を、該少なくとも１種の潜発泡剤を活性化させるために有効な温度まで加熱することを含む方法。
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
miR-15、miR-26、miR-31、miR-145、miR-147、miR-188、miR-215、miR-216、miR-331、またはmiR-292の核酸配列を含む単離核酸を、表1、表3、または表4に特定された1種類または複数の遺伝子の発現を調節するのに十分な量で細胞に投与する段階を含む、細胞内における遺伝子発現を調節する方法であって、
(a)miR-15によって調節される遺伝子が、表1A、表3A、または表4Aから選択され；
(b)miR-26によって調節される遺伝子が、表1B、表3B、または表4Bから選択され；
(c)miR-31によって調節される遺伝子が、表1Cまたは表3Cから選択され；
(d)miR-145によって調節される遺伝子が、表1Dまたは表3Dから選択され；
(e)miR-147によって調節される遺伝子が、表1E、表3E、または表4Cから選択され；
(f)miR-188によって調節される遺伝子が、表1F、表3F、または表4Dから選択され；
(g)miR-215によって調節される遺伝子が、表1G、表3G、または表4Eから選択され；
(h)miR-216によって調節される遺伝子が、表1H、表3H、または表4Fから選択され；
(i)miR-331によって調節される遺伝子が、表1I、表3I、または表4Gから選択され；かつ
(j)miR-292によって調節される遺伝子が、表1J、表3J、または表4Hから選択される、
方法。
【手続補正書】
【提出日】平成22年11月26日(2010.11.26)
【手続補正１】
【補正対象書類名】特許請求の範囲
【補正対象項目名】全文
【補正方法】変更
【補正の内容】
【特許請求の範囲】
【請求項１】
配列番号１のペプチドを含むペプチドベースの免疫原性組成物。
【請求項２】
配列番号２〜２４からなる群より選択される少なくとも１つのペプチドをさらに含む、請求項１に記載の組成物。
【請求項３】
配列番号２５のペプチドを含むペプチドベースの免疫原性組成物。
【請求項４】
配列番号２６〜４０からなる群より選択される少なくとも１つのペプチドをさらに含む、請求項３に記載の組成物。
【請求項５】
配列番号１〜４０のペプチドを含むペプチドベースの免疫原性組成物。
【請求項６】
配列番号１〜２１２のペプチドを含むペプチドベースの免疫原性組成物。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
柔軟な状態と堅い状態とを有し、長軸を有する細長い本体と、
前記細長い本体に沿って、長手方向に隔てた位置に配置された複数のグリッパと、
前記細長い本体に接続された湾曲剛性ハブと、
前記グリッパを第１形状から拡張した第２形状へ展開するために、前記グリッパに操作可能に接続されたアクチュエータとを備える
ことを特徴とする骨固定装置。
【請求項２】
前記アクチュエータは、細長い本体の形状をその柔軟な状態からその堅い状態へ変化させるために、細長い本体に操作可能に接続される
ことを特徴とする請求項１に記載の骨固定装置。
【請求項３】
少なくとも一つの前記第２形状は、その第１形状におけるよりも、その拡張した第２形状における長軸に沿った場合に、短い
ことを特徴とする請求項１に記載の骨固定装置。
【請求項４】
前記アクチュエータは、前記細長い本体の基端部に配置された第１グリッパと、前記細長い本体の末端部に配置された第２グリッパとに操作可能に接続され、それによって、前記第１及び第２グリッパを同時に拡張させることができる
ことを特徴とする請求項１に記載の骨固定装置。
【請求項５】
第１グリッパは、前記第１グリッパが前記第１形状から前記第２形状に展開する場合に、前記細長い本体の長軸から離れるように枢動する部材を備える
ことを特徴とする請求項１に記載の骨固定装置。
【請求項６】
前記第１グリッパは、前記細長い本体の同一軸位置で枢動部材の反対側に配置された２つのセットを備え、
前記枢動部材は、前記第１グリッパが前記第１形状から前記第２形状に展開する場合に、前記細長い本体の長軸から離れて枢動するように適用される
ことを特徴とする請求項５に記載の骨固定装置。
【請求項７】
前記第１グリッパは、前記細長い本体の同一軸位置で枢動部材の反対側に設けられた３つのセットを備え、
前記第１グリッパが前記第１形状から前記第２形状に展開する場合に離れて枢動するように設けられた枢動部材を備える
ことを特徴とする請求項５に記載の骨固定装置。
【請求項８】
前記第１グリッパは、前記細長い本体の同一軸位置で細長い本体の反対側に配置された１組の枢動部材を備える
ことを特徴とする請求項５に記載の骨固定装置。
【請求項９】
前記枢動部材の組みは、前記細長い本体に接続され、その結果、前記第１グリッパが前記第１形状から前記第２形状に展開する場合に、同一方向に回転する
ことを特徴とする請求項８に記載の骨固定装置。
【請求項１０】
前記枢動部材の組みは、前記細長い本体に接続され、その結果、前記第１グリッパが前記第１形状から前記第２形状に展開する場合に、反対方向に回転する
ことを特徴とする請求項８に記載の骨固定装置。
【請求項１１】
前記第１グリッパは、前記細長い本体から半径方向の外側へ枢動する骨連結表面を有する
ことを特徴とする請求項５に記載の骨固定装置。
【請求項１２】
前記第１グリッパは、前記細長い本体から半径方向の外側へ枢動する第２骨連結表面を有する
ことを特徴とする請求項５に記載の骨固定装置。
【請求項１３】
前記アクチュエータは、展開方向にのみ前記アクチュエータの移動を可能にするラチェットを備える
ことを特徴とする請求項１に記載の骨固定装置。
【請求項１４】
さらに、ラチェット解除を備える
ことを特徴とする請求項１３に記載の骨固定装置。
【請求項１５】
前記アクチュエータはネジ山を設けられている
ことを特徴とする請求項１に記載の骨固定装置。
【請求項１６】
前記アクチュエータは、前記グリッパに関して回転可能である
ことを特徴とする請求項１に記載の骨固定装置。
【請求項１７】
前記湾曲ハブは、ネジ穴を備える
ことを特徴とする請求項１に記載の骨固定装置。
【請求項１８】
前記ハブはドリル配置ツールインターフェースを備える
ことを特徴とする請求項１に記載の骨固定装置。
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
非乾燥粒子状の、特に非乾燥粉末状の添加物又は被覆物質であって、液体状、固体状若しくは半固体状であるか、又はペースト状粘度を持ち、所望により懸濁又は乳濁状で、特に粘性が高い、例えば、過酸化物、脂肪、ワックス、粘度指数改良剤、ポリマー等である非乾燥粒子を、容器又は切断圧縮器（１）内で移動され、混合され、所望により加熱され粉砕され、粒子として、特にポリマー粒子又はフレーク、木材繊維、粉砕紙等として存在する非乾燥粒子として存在する材料に投入して添加する方法であって、添加物が、前記容器（１）内に存在する材料又は材料粒子の高さ位置よりも下で添加される方法において、前記添加物、特に極めて粘性が高い添加物が、前記容器（１）内で、材料粒子が、特に、容器（１）内で回転しながら、前記容器（１）の側壁に最大圧力を及ぼす、前記材料の容器（１）の範囲又は高さで添加されることを特徴とする方法。
【請求項２】
請求項１に記載の方法において、前記添加物は、前記容器（１）内での前記材料の充填高さ又は回転により生ずる混合渦の高さを３等分したうちの中央部分で添加されることを特徴とする方法。
【請求項３】
請求項１又は２に記載の方法において、前記添加物は、前記容器（１）の側壁の内側に設けられ、又は  前記側壁を貫通して開口する、１個以上の供給装置を通じて添加され、前記供給装置は、同じ高さ位置に周方向に亘って配設され、又は上下一列になって配設されるとともに、前記供給装置は、複数個の供給開口又はノズルとして構成され、所望により、ギアポンプ又はダイヤフムポンプ等の投入ポンプに通じて供給を受けることを特徴とする方法。
【請求項４】
請求項１乃至３のいずれか１に記載の方法において、前記材料粒子又は前記容器（１）内での移動により形成される混合渦の高さは、前記供給装置（１０）よりも絶えず上方となるように維持されることを特徴とする方法。
【請求項５】
請求項１乃至４のいずれか１に記載の方法において、前記添加物は、前記容器（１）の側壁の内側に沿って通過又は回転する前記材料粒子により運ばれ又は投入されるか、又は、前記添加物は、こうして材料粒子に添加されることを特徴とする方法。
【請求項６】
請求項１乃至５のいずれか１に記載の方法において、前記添加物の添加前及び／又は添加中、前記容器（１）の側壁の内面は、前記容器（１）内に存在する前記材料の温度とは独立して、別個に加熱されることにより、供給される添加物の粘度を低下させて濡れ性を増すことを特徴とする方法。
【請求項７】
請求項１乃至６のいずれか１に記載の方法において、前記添加物、特に、反応性添加物は、希釈度に応じて、最終生成物の総重量に対して、０．０１乃至２０重量％の量で、添加物の担体を介して添加されることを特徴とする方法。
【請求項８】
請求項１乃至７のいずれか１に記載の方法において、前記添加物は、最大で、前記容器（１）内に存在する前記材料又は材料粒子の全表面を塗布するのに必要な量まで添加されることを特徴とする方法。
【請求項９】
少なくとも１個の混合部材（４）であって、特に、縦方向軸線を中心として回転自在であり、被処理材料粒子、特に、非溶融状態のポリマー粒子の形をした合成樹脂、木材繊維、粉砕紙等を移動又は回転し、混合し、加熱し、及び／又は所望により粉砕する混合部材が内部に設けられた少なくとも１個の容器又は切断圧縮器（１）を有する、請求項１乃至８のいずれか１に記載の方法を実施する装置であって、少なくとも１個の供給装置（１０）が、非乾燥粒子状の添加物であって、液体状、固体状若しくは半固体状であるか、又はペースト状粘度を持ち、所望により懸濁又は乳濁状で、特に粘性が高い、例えば、過酸化物、脂肪、ワックス、粘度指数改良剤、ポリマー等である添加物用に設けられ、前記供給装置（１０）は、運転中、前記容器（１）内に存在する前記被処理材料又は被処理材料粒子の高さ位置よりも下に設けられる装置において、前記複数個の供給装置（１０）は、前記材料粒子が、前記容器（１）内で好ましくは移動されて、特に前記容器（１）内で回転されて、前記容器（１）の側壁に最大圧力を及ぼす箇所に設けられることを特徴とする装置。
【請求項１０】
請求項９に記載の装置において、前記供給装置（１０）は、前記容器（１）の側壁の内側に若しくは前記容器（１）内に側壁を貫通して開口するように設けられるか又は、前記容器（１）の側壁に形成されることを特徴とする装置。
【請求項１１】
請求項９又は１０に記載の装置において、前記複数個の供給装置（１０）は、好ましくは、前記容器（１）の側壁の周囲に亘って同じ高さで均等に、又は上下一列になって配設されることを特徴とする装置。
【請求項１２】
請求項９乃至１１のいずれか１に記載の装置において、前記複数個の供給装置（１０）は、前記容器（１）の底部から又は前記混合部材（４）から離れた高さの距離に設けられ、前記複数個の供給装置（１０）は、前記容器（１）内に存在し又は前記容器内で回転する前記被処理材料粒子の処理方法に応じた充填高さ、又は前記被処理材料粒子の移動又は回転により形成される混合渦の高さよりも絶えず低いことを特徴とする装置。
【請求項１３】
請求項９乃至１２のいずれか１に記載の装置において、前記複数個の供給装置（１０）は、前記容器（１）内での前記材料の処理方法に応じた充填高さ又は混合渦の高さを３等分したうちの中央部分に設けられることを特徴とする装置。
【請求項１４】
請求項９乃至１３のいずれか１に記載の装置において、前記複数個の供給装置（１０）は、開口又はノズルとして構成され、好ましくは、ギアポンプ又はダイヤフムポンプ等の投入ポンプにより供給され、特に、前記添加物が、滴状に投入できるように構成されることを特徴とする装置。
【請求項１５】
請求項９乃至１４のいずれか１に記載の装置において、前記複数個の供給装置（１０）は、前記容器（１）の側壁と面一であり、特に、前記容器（１）の内面から前記容器（１）の内側に突出し出っ張ることがないことを特徴とする装置。
【請求項１６】
請求項９乃至１５のいずれか１に記載の装置において、例えば、前記混合部材（４）又は前記被処理材料を加熱する別個の加熱装置により前記被処理材料を加熱するのとは無関係に又は追加して、少なくとも１個の別個の加熱装置を、例えば、前記混合部材（４）又は前記被処理材料を加熱する他の加熱装置により構成することにより、前記容器（１）の内側又は側壁、所望により、前記複数個の供給装置（１０）及び／又は供給ライン若しくは供給タンクを、別個に加熱して、前記供給される添加物の粘度を低下させて前記容器（１）の側壁において濡れ性を増すことができるようにすることを特徴とする装置。
【請求項１７】
請求項９乃至１６のいずれか１に記載の装置において、前記容器（１）の内側の表面は、特に、耐粘着性被覆、エンボス加工等により、非濡れ性表面として構成され、又は、濡れ性が抑制されるように若しくは前記供給される添加物により、内側での濡れ性が生じないように構成されることを特徴とする装置。
【請求項１８】
請求項９乃至１７のいずれか１に記載の装置において、複数個の容器（１）が、特に連続して設けられ、前記複数個の供給装置（１０）が、少なくとも最初の容器（１）内に設けられることを特徴とする装置。
【手続補正書】
【提出日】平成22年11月18日(2010.11.18)
【手続補正１】
【補正対象書類名】特許請求の範囲
【補正対象項目名】請求項１
【補正方法】変更
【補正の内容】
【請求項１】
植物性もしくは動物性有機原料から高圧下に可溶性物質を得るにあたり、超臨界ガスを溶媒として使用し、この際、 
・一又は二以上の高圧容器に有機原材料を充填し、密封し、８００ｂａｒより高い圧力に加圧し、その後、 
・抽出工程において、超臨界ガスを、充填された前記高圧容器に少なくとも一回貫流し、この際、前記超臨界ガスに追加の添加溶剤を混合せず、次に、 
・負荷された超臨界ガスの全てまたは一部を分離工程に供給し、この分離工程において、圧力が降下する中で、天然物又は物質混合物を単離するか又は互いに分離する、 
抽出方法であって、 
抽出工程における前記圧力が、超臨界ガス中への原料固有の油又は脂肪の最大溶解度圧を少なくとも１０％超え、この際、各々の原料固有の油又は脂肪が添加溶剤として作用することを特徴とする方法。 
【手続補正２】
【補正対象書類名】明細書
【補正対象項目名】００１１
【補正方法】変更
【補正の内容】
【００１１】
上記課題は、植物性もしくは動物性有機原材料から高圧下に可溶性物質を得るための方法であって、この際、少なくとも一種の超臨界ガスを溶媒として使用し、ここで
・一又は二以上の高圧容器中に有機原材料を充填し、密封し、次いで、８００ｂａｒより高い圧力に加圧し、その後、
・抽出工程においては、超臨界ガスを、充填された高圧容器に一回以上貫流し、この際、超臨界ガスには、追加の添加溶剤を混合せず、次いで
・負荷された超臨界ガスの全部もしくは一部を分離工程に供給し、分離工程では、圧力の降下の下に、天然物質又は物質混合物を単離するか又は互いに分離し、そして
・抽出工程における圧力が、超臨界ガス中の原料固有の油又は脂肪の最大溶解度圧を少なくとも１０％超え、この際、原料固有の各々の油又は脂肪は添加溶剤として作用する、
本発明による抽出方法によって解決される。
【発明を実施するための形態】
【手続補正３】
【補正対象書類名】明細書
【補正対象項目名】００１２
【補正方法】変更
【補正の内容】
【００１２】
この際、抽出工程における圧力が、超臨界ガス中の原料固有の油又は脂肪の最大溶解度圧を少なくとも１０％超えることが決定的に重要であり、圧力の増加は、超臨界ガス中の原料固有の油又は脂肪の最大溶解度圧よりもかなり大きくても良い。超臨界ガスとして二酸化炭素（ＣＯ２）を使用するとき、圧力は、好ましくは１１００〜５０００ｂａｒであり、理想的には、１３００〜２５００ｂａｒである。
【手続補正４】
【補正対象書類名】明細書
【補正対象項目名】００１４
【補正方法】変更
【補正の内容】
【００１４】
本発明の実施形態の一つでは、有機材料は、抽出工程における高圧容器中で、循環流としての超臨界ガスによって、複数回貫流される。本発明の別の実施形態の一つによれば、分離工程の前に又は分離工程において、熱交換器によって超臨界ガスの温度を変化させる。
【手続補正５】
【補正対象書類名】明細書
【補正対象項目名】００１５
【補正方法】変更
【補正の内容】
【００１５】
この抽出方法は、抽出工程の下流の第一の分離器において、ＣＯ２中への原料固有の油又は脂肪の最大溶解度の範囲内の圧力が存在するように、理想的には、その最大溶解度の上下でせいぜい２％以内となるように改善することができる。さらに、驚くべきことが観察された。すなわち、抽出が困難な物質の得られた画分が、この圧力レベルでは、溶剤及び油からなるガス状混合物中に残り、それ故、易可溶性の物質からなる混合物から比較的簡単に分離することができる。これらの難溶性物質の分離は、後続の分離器で行われる。好ましくは、最初の分離器における圧力は、８００〜１０００ｂａｒである。
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
大動脈におけるステントグラフトの展開中に動脈に血液を供給するために、身体部に血液を供給する動脈に沿って大動脈内に展開するように適応されたシャントであって、
大動脈とステントグラフトとの間で、ステントグラフトの展開中に身体部への充分な血液の供給を可能にするのに充分な大きさに、少なくとも部分的に開き続けるように充分に高い剛性である剛性部分と、
ステントグラフトと大動脈との間からのシャントの少なくとも一部の安全な除去を容易にするための機構と、
を備えたシャント。
【請求項２】
前記機構は裏返し可能なスリーブを含む、請求項１に記載のシャント。
【請求項３】
前記身体部は脳であり、シャントは除去可能である、請求項１に記載のシャント。
【請求項４】
前記機構は、前記大動脈と前記ステントグラフトの間に残る前記シャントの一部分の平板化を起こす、請求項１〜３のいずれかに記載のシャント。
【請求項５】
前記剛性部分は、１０％を越えて変形することなく長さ１ｃｍ当たり１ｋｇの圧縮力に耐えることができる、請求項１〜４のいずれかに記載のシャント。
【請求項６】
前記剛性部分は５ｍｍ〜８ｍｍの外径を有する、請求項１〜５のいずれかに記載のシャント。
【請求項７】
前記剛性部分は１５ｃｍ〜３０ｃｍの長さを有する、請求項１〜６のいずれかに記載のシャント。
【請求項８】
大動脈の内側を損傷しないように適度に柔軟かつ変形可能であって血流により折れ曲がりまたは屈曲しないように軟弱ではない正面部分を含む、請求項１〜７のいずれかに記載のシャント。
【請求項９】
請求項１〜８のいずれかに記載のシャント、および脈管内のステントグラフトの展開に必要な少なくとも１つの追加的装置を含むキット。
【請求項１０】
前記追加的装置は、ステントグラフトに開口を形成するための開窓器、またはシャントを介してバルーンを導入するためのイントロデューサである、請求項９に記載のキット。
【請求項１１】
大動脈ステントグラフトの管腔空間を画定する管腔表面の開口部で大動脈ステントグラフトに分岐形状で付着させるように構成された分岐ステントグラフトであって、
（ａ）拡張可能な管状ステントグラフトと、
（ｂ）管状ステントグラフトの端部にある拡張可能なフレアグラフトであって、フレアグラフトが拡張したときに開窓周囲領域で大動脈ステントグラフトの管腔表面に物理的に密嵌するように構成された前記拡張可能なフレアグラフトと、
を備えた分岐ステントグラフト。
【請求項１２】
拡張可能なフレアグラフトが拡張したときに、拡張可能なフレアグラフトは管状ステントグラフトと直角になる、請求項１１に記載の分岐ステントグラフト。
【請求項１３】
前記管状ステントグラフトは、フレアグラフトを開窓周囲領域で大動脈ステントグラフトの管腔表面に偏らせるように構成されたフレアステント部分を含む、請求項１１に記載の分岐ステントグラフト。
【請求項１４】
フレアグラフトを開窓周囲領域で大動脈ステントグラフトに偏らせるように構成された膨張可能なカフを含む、請求項１１〜１３のいずれかに記載の分岐ステントグラフト。
【請求項１５】
自己拡張可能である、請求項１１〜１４のいずれかに記載の分岐ステントグラフト。
【請求項１６】
フレアグラフトを管状ステントグラフトの前に置いて、送達システムの前端に装荷される、請求項１１〜１５のいずれかに記載の分岐ステントグラフト。
【請求項１７】
大動脈ステントグラフトに接続するために分岐ステントグラフトを管腔内で送達するための送達システムであって、
後端および前端を有する送達シースと、
管状部分およびフレア部分を有する分岐ステントグラフトと、
分岐ステントグラフトを被包する送達シースと、
送達シースが後方に引っ張られたときに分岐ステントグラフトがシースから偶発的に解放されるのを防止するために、分岐ステントグラフトを送達システムに固定する固定機構と、
を備えた送達システム。
【請求項１８】
固定機構は分岐ステントグラフトを送達システムに取り付けることを含む、請求項１７に記載の送達システム。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
印刷、被着または被膜形成を行う方法において、
支持体の表面上に粉末を被着させる工程、
前記支持体上の前記粉末上に液体を噴射する工程、及び
前記粉末を流動させて前記支持体の前記表面を被覆する工程、
を含む方法。
【請求項２】
前記粉末が前記支持体に静電的に被着されることを特徴とする請求項１に記載の方法。
【請求項３】
前記粉末が熱硬化性または熱可塑性の材料を含むことを特徴とする請求項１に記載の方法。
【請求項４】
前記液体が圧電型プリントヘッドを用いて噴射されることを特徴とする請求項１に記載の方法。
【請求項５】
前記支持体が金属を含むことを特徴とする請求項１に記載の方法。
【請求項６】
前記粉末を流動させる工程が、前記粉末を加熱する工程を含むことを特徴とする請求項１に記載の方法。
【請求項７】
前記粉末が、冷えるにつれて固体に変態することを特徴とする請求項６に記載の方法。
【請求項８】
粉末が被着された基板表面上に液体を噴射するためのシステムにおいて、
基板上にパターンをなして液体を噴射するためのインクジェットプリンタ、
前記インクジェットプリンタが前記基板上に液体を噴射できるように前記インクジェットプリンタに隣接する前記基板のための支持体、及び
前記インクジェットプリンタの上流にある、前記基板の表面上に粉末を計量分配するためのステーション、
を備えることを特徴とするシステム。
【請求項９】
前記粉末を流動させて前記基板表面を被覆するためのさらに別のステーションを備えることを特徴とする請求項８に記載のシステム。
【請求項１０】
前記粉末が前記基板表面に静電的に被着されることを特徴とする請求項８に記載のシステム。
【請求項１１】
前記さらに別のステーションが、前記粉末を流動させるための加熱装置を含むことを特徴とする請求項９に記載のシステム。
【請求項１２】
前記粉末が熱硬化性または熱可塑性の材料を含むことを特徴とする請求項８に記載のシステム。
【請求項１３】
前記インクジェットプリンタが圧電型プリントヘッドを備えることを特徴とする請求項８に記載のシステム。
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
フレキソ印刷プレートの形成法であって、
マスターツールパターンを画定する複数のくぼみを有し、前記くぼみ内に溶剤が配置されたマスターツールの上へ高分子基材を配置することと、
前記溶剤を前記高分子基材中へ拡散させて、前記マスターパターンに対して補完的な基材レリーフパターンを形成することと、
前記基材レリーフパターンを硬化させて、フレキソ印刷プレートを形成することと、を含む、フレキソ印刷プレートの形成法。
【請求項２】
主表面及び前記主表面から離れるように突出するレリーフパターンを有する高分子基材を含む、フレキソ印刷プレートであって、前記レリーフパターンが、少なくとも２０マイクロメートルの高さを有し、かつ、前記レリーフパターンが、１５マイクロメートル以下の横方向の寸法を有する形状部を含む、フレキソ印刷プレート。
【請求項３】
フレキソ印刷プレートの形成法であって、
微細構造を有する剛性マスターツールを提供することと、
前記剛性マスターツールを用いて高分子基材上で前記微細構造を複製して、微細構造を複製した高分子ウェブマスターツールを形成することと、
前記微細構造を複製した高分子ウェブマスターツールを用いて第２高分子基材上で前記微細構造を複製して、微細構造を複製したフレキソ印刷プレートを形成することと、を含み、
前記微細構造が、１０マイクロメートル以下の横方向の寸法を有する形状部を含み、
ダイヤモンド旋削によって、前記剛性マスターツール微細構造を形成することを更に含む、フレキソ印刷プレートの形成法。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
加工性能を向上させるために潤滑剤をプラスチックに付加することによって、印刷、塗装、又は接着される能力を改善するために、プラスチック表面の湿潤性及び／若しくは接着性を改善する方法において、
プラスチックに付加される前記潤滑剤として、少なくとも１つの金属せっけんフリーの潤滑剤を使用すること、
有機カルボン酸のエステル、特に脂肪酸エステル、好ましくは親水性脂肪酸エステル又はグリセリン酸エステルが、プラスチックに付加される金属せっけんフリーの潤滑剤として使用されること、且つ
前記プラスチックは、ポリアミド、ポリオレフィン、ポリウレタン、ＡＢＳ（アクリロニトリル／ブタジエン／スチレン）、ＰＢＴ（ポリブチレンテレフタラート）及びＰＣ（ポリカルボネート）からなる群から選択されることを特徴とする方法。
【請求項２】
前記脂肪酸エステルの脂肪酸は、少なくとも１０個の炭素原子、好ましくは少なくとも１２個の炭素原子を有するより高い脂肪酸であり、且つ／又は、脂肪酸エステルの脂肪酸は、Ｃ１０−Ｃ３０脂肪酸、特にＣ１２−Ｃ２４脂肪酸、好ましくはＣ１４−Ｃ２０脂肪酸、特に好ましくはステアリン酸であることを特徴とする請求項１記載の方法。
【請求項３】
前記脂肪酸エステルの脂肪酸は、飽和非分岐脂肪酸、特に少なくとも１０個の炭素原子を有するもの、好ましくは少なくとも１２個の炭素原子を有するものであり、且つ／又は、前記脂肪酸エステルの脂肪酸は、飽和非分岐脂肪酸、特に飽和非分岐Ｃ１０−Ｃ３０脂肪酸、好ましくは飽和非分岐Ｃ１２−Ｃ２４脂肪酸、特に好ましくは飽和非分岐Ｃ１４−Ｃ２０脂肪酸であることを特徴とする請求項１又は２記載の方法。
【請求項４】
前記有機カルボン酸エステルのアルコールは、一価又は多価、特に一価アルコール、二価〜四価アルコールであること、且つ／又は、前記有機カルボン酸エステルのアルコールが、Ｃ２−Ｃ１０アルコール、特にＣ３−Ｃ６アルコールであり、特に好ましくは、ブタノール、イソブタノール、ペンタノール、ヘキサノール、グリセロール、ペンタエリトリトール又はトリメチロールプロパンであることを特徴とする請求項１〜３のいずれか１つに記載の方法。
【請求項５】
前記脂肪酸は、ステアリン酸エステル、ステアリン酸ブチル、ステアリン酸イソブチル、ステアリン酸へキシル、モノステアリン酸グリセロール、ジステアリン酸グリセロール、トリステアリン酸グリセロール、トリステアリン酸トリメチロールプロパン又はテトラステアリン酸ペンタエリトリトール、又はそれらの混合物であることを特徴とする請求項１〜４のいずれか１つに記載の方法。
【請求項６】
前記潤滑剤は、前記プラスチックに対して、０．０１〜１０重量％、特には０．１〜５重量％、好ましくは０．３〜３重量％の量において使用されることを特徴とする請求項１〜５のいずれか１つに記載の方法。
【請求項７】
前記プラスチックは、サーモプラスチックであることを特徴とする請求項１〜６のいずれか１つに記載の方法。
【請求項８】
印刷され、塗装され若しくは接着される能力を改善するために、ポリアミド表面の湿潤性及び／若しくは接着性を改善する方法において、
前記ポリアミドの末端基の数を増加させること、且つ
請求項１〜６のいずれか１つに記載の金属せっけんフリーの潤滑剤が前記ポリアミドに付加されることを特徴とする方法。
【請求項９】
プラスチック表面、特にポリアミド表面が、押出、射出成形によって製造されることを特徴とする請求項１〜８のいずれか１つに記載の方法。
【請求項１０】
プラスチック表面、特にポリアミド表面の印刷、塗装又は染色は、事前の前処理なしに、特に、化学的前処理、フッ素化処理、コロナ処理、火炎処理、プラズマ処理、酸化、下塗りなしに実行されることを特徴とする請求項１〜９のいずれか１つに記載の方法。
【請求項１１】
プラスチック表面の印刷適性を改善すること、特に光硬化、特にＵＶ硬化インクにより、プラスチック表面の印刷適性を改善することを特徴とする請求項１〜１０のいずれか１つに記載の方法。
【請求項１２】
プラスチック表面の塗装適性を改善すること、且つ／又は、プラスチック表面に対するペンキ、染料の接着性を改善すること、且つ／又は、ペンキ、染料によるプラスチック表面の湿潤性を改善することを特徴とする請求項１〜１０のいずれか１つに記載の方法。
【請求項１３】
プラスチック表面の接着適性を改善すること、且つ／又は、プラスチック表面への接着剤の接着性を改善すること、且つ／又は、接着剤によるプラスチック表面の湿潤性を改善することを特徴とする請求項１〜１０のいずれか１つに記載の方法。
【請求項１４】
光硬化、特にＵＶ硬化インクによってプラスチック表面を印刷すること、且つ
プラスチック表面の印刷が、インクジェットプリンターで実行されることを特徴とする請求項１〜１３のいずれか１つに記載の方法の使用。
【請求項１５】
プラスチック表面の湿潤性及び／若しくは接着性を改善するため、特に印刷、塗装又は接着される能力を改善するために、プラスチック材料に金属せっけんフリーの潤滑剤を使用すること。